(57)【要約】【課題】  従来の代謝エネルギー算定装置は、体温の低下によって生じる基礎代謝量や総必要エネルギーの減少を算定に反映せず誤った目標値を設定してしまい、さらに余分のエネルギーが身体に蓄積され太り易い体質であることを使用者が気付かせず、減量への改善策を提供することができない。【解決手段】  代謝エネルギー算定において推定基礎代謝量算出ブロックを設け、推定基礎代謝量算出ブロックには標準体温を記憶する標準体温記憶部と体温を入力する体温入力手段と体温入力手段によって入力された体温と標準体温との差を体温差分データとして算出する体温差分算出部と体温差分データと標準基礎代謝量データとから推定基礎代謝量データを算出する推定基礎代謝量算出手段とを備えたことを特徴とする。【選択図】  図１
2010124873.tif 000002
【特許請求の範囲】
【請求項１】
個人データを入力する個人データ入力部と、
基礎代謝基準値を記憶する基礎代謝基準値記憶部と、
前記個人データ入力部によって入力された前記個人データと前記基礎代謝基準値Ｐ１とから標準基礎代謝量データを算出する標準基礎代謝量算出部と、
を有する代謝エネルギー算定装置において、
標準体温データを記憶する標準体温記憶部と、
体温を入力する体温入力手段と、
前記体温入力手段によって入力された体温データと前記標準体温データとの差を体温差分データとして算出する体温差分算出部と、
前記標準基礎代謝量データと前記体温差分データとから推定基礎代謝量データを算出する推定基礎代謝量算出手段と、を備えることを特徴とする代謝エネルギー算定装置。
【請求項２】
前記標準基礎代謝量データと前記推定基礎代謝量データとから、基礎代謝量差分データを算出する基礎代謝量差分算出手段を備えることを特徴とする請求項１に記載の代謝エネルギー算定装置。
【請求項３】
前記推定基礎代謝量算出手段は、前記体温差分データと前記標準基礎代謝量データとから基礎代謝量差分データを算出する基礎代謝量差分算出部と、前記基礎代謝量差分データと前記標準基礎代謝量データとから推定基礎代謝量データを算出する推定基礎代謝量算出部と、によって構成されることを特徴とする請求項２に記載の代謝エネルギー算定装置。
【請求項４】
前記基礎代謝量差分データを太り易さ指数に換算する太り易さ指数換算ブロックを有することを特徴とする請求項２または３に記載の代謝エネルギー算定装置。
【請求項５】
前記太り易さ指数換算ブロックは、食品または運動または蓄積脂肪量、またはそれらを組み合わせた換算手段を有することを特徴とする請求項４に記載の代謝エネルギー算定装置。
【請求項６】
前記体温を入力する前記体温入力手段は、体温センサであることを特徴とする請求項１から５のいずれか１つに記載の代謝エネルギー算定装置。
【請求項７】
前記体温を入力する前記体温入力手段は、体温の数値を設定する数値設定手段であることを特徴とする請求項１から５のいずれか１つに記載の代謝エネルギー算定装置。
【請求項８】
個人の活動レベルを入力する活動レベル入力手段と、
前記活動レベル入力手段によって入力された活動レベルデータと前記標準基礎代謝量データとから標準総必要エネルギーデータを算出する標準総必要エネルギー算出部と、
前記活動レベルデータと前記推定基礎代謝量データとから推定総必要エネルギーデータを算出する推定総必要エネルギー算出部と、
を備えたことを特徴とする請求項１から７のいずれか１つに記載の代謝エネルギー算定装置。
【請求項９】
前記標準総必要エネルギーデータと前記推定総必要エネルギーデータとから、総必要エネルギー差データを算出する総必要エネルギー差算出部を備えたことを特徴とする請求項８に記載の代謝エネルギー算定装置。
【請求項１０】
前記総必要エネルギー差データを、太り易さ指数に換算する太り易さ指数換算ブロックを有することを特徴とする請求項９に記載の代謝エネルギー算定装置。
【請求項１１】
前記太り易さ指数換算ブロックは、食品または運動または蓄積脂肪量、またはそれらを組み合わせた換算手段を有することを特徴とする請求項１０に記載の代謝エネルギー算定装置。
【請求項１２】
前記活動レベル入力手段は、外部機器からの情報を入力する入力手段を有し、該入力手段から入力された情報に基づいて活動レベルデータの数値を設定することを特徴とする、請求項８から１１のいずれか１つに記載の代謝エネルギー算定装置。
【請求項１３】
報知手段を有し、
前記推定基礎代謝量データ、前記基礎代謝量差分データ、前記太り易さ指数、前記体温データの数値の少なくとも１つを報知することを特徴とする請求項１から１２のいずれか１つに記載の代謝エネルギー算定装置。
【発明の詳細な説明】
【技術分野】
【０００１】
本発明は、肥満を防止するための食事上や運動上の指針を算定する代謝エネルギー算定装置に関し、特に身体の代謝エネルギー量を算定する装置に関する。
【背景技術】
【０００２】
近年社会の高齢化と共に生活習慣病が大きな社会問題になり、生活習慣病に罹患しないように一人一人が健康増進に努めることが求められ始めている。特に生活習慣病と密接に関係しているといわれている肥満の防止には、食事や運動の管理が不可欠である。
【０００３】
肥満の防止のためや、ダイエットや減量を行う際には、公開されている統計的な１日に必要なカロリー値を前提に、心拍計や歩数計による運動消費カロリーの目標や、食事メニューの摂取カロリーの目標値を決めていた。
【０００４】
しかし、このようなカロリー値は、あくまで統計的な必要カロリーを目標基準としているため、個人差が大きく、同じ運動量、同じダイエット食を実践しても効果が得られ易い人、得られ難い人がでてきてしまう。
【０００５】
ところで、人間は、生命活動を維持するために生体で自動的に行われる活動である基礎代謝と、仕事や運動など日常活動上必要な運動代謝と、食事を取ったときに消化や吸収が行われる活動である食事代謝との３つの代謝を行っている。
それぞれの代謝を代謝量として見立てると、それぞれはエネルギーとして考えることができ、この３つの代謝量の合計が総必要エネルギーとなる。
基礎代謝量は、標準的な生活をしている場合は、総必要エネルギーの約６０％程度を占める。また、運動代謝量は約３０％、食事代謝量は約１０％となっている。
【０００６】
心拍計や歩数計などを装着して運動を行っても、そもそも総必要エネルギーの約３０％の部分である運動代謝量を消費しているだけであるから、総必要エネルギーの約６０％程度を占める基礎代謝量に着目した食事や運動の管理を行う方が効率がよいという考えがある。そこで、近年では、基礎代謝量を知り得て、食事や運動の管理をすることが行われ始めた。
【０００７】
基礎代謝量は、公開されているさまざまな情報から知り得ることができる。また、厚生労働省が作成した資料も入手することができる（例えば、非特許文献１、非特許文献２参照。）。
図２２は、非特許文献１に記載している厚生労働省が策定した基礎代謝基準値表である。年齢と性別とにおける１日当り身体に必要な熱量を示している。なお、ここでいう熱量とは、カロリーあるいはエネルギーと同義である。なお、以後の記述においては、「１日当り身体に必要な熱量」を「総必要エネルギー」と表現することにする。
図２３は、非特許文献２に記載している厚生労働省が策定した活動レベル表を説明しやすいように書き直した図表である。活動レベルとは、使用者の日々の活動状況をレベル分けしたものであって、１．５０、１．７５、２．００の３段階の数値で表現されるものである。
【０００８】
また、エネルギー代謝学で良く知られた「Ｈａｒｒｉｓ−Ｂｅｎｅｄｉｃｔ法」によって、身長、体重、年齢、性別等から基礎代謝量を算定し、治療や栄養管理を行う方法も知られている。そのような方法を利用した発明も提案されている（例えば、特許文献１参照。）。
【０００９】
一方、生体の情報を測定して基礎代謝量を知り得ることも知られている。例えば、被験者を測定用の個室に入れ込み、その室内の酸素濃度と二酸化炭素濃度との変化から基礎代謝量を測定するものである。
しかしながら、設備が大掛かりなため、個人用とは言いがたい。そのため、家庭内で測定できるような装置が提案されている。
【００１０】
例えば、呼吸代謝測定法による基礎代謝測定に体脂肪と体温と心拍数との測定を組み合わせて、体内栄養代謝動態測定を行う代謝動態測定装置である（例えば、特許文献２参照。）。
【００１１】
また、基礎代謝量を測定または算定式によって得て、心拍数から消費カロリーを算出し、圧脈が最も大きい部分の温度を体温として特定し、体温から基礎代謝状態を特定する基礎代謝状態推定装置も提案されている（例えば、特許文献３参照。）。
【００１２】
さらにまた、生体インピーダンスから筋肉の状態を推定して基礎代謝量に換算し、標準の基礎代謝量と比較して消費カロリーの管理に役立てる消費カロリー管理装置も提案されている（例えば、特許文献４参照。）。
【００１３】
【非特許文献１】「食生活改善指導担当者テキスト」，［online］，厚生労働省，平成２０年１１月１１日検索，インターネット＜URL：http://www.mhlw.go.jp/bunya/shakaihosho/iryouseido01/info03k.html＞
【非特許文献２】「日本人の食事摂取基準（２００５年版）」，「別添付資料」，［online］，厚生労働省，平成２０年１１月１１日検索，インターネット＜http://www.mhlw.go.jp/houdou/2004/11/h1122-2a.html＞
【特許文献１】特開２００３−１７３３７５号公報（第１１頁）
【特許文献２】特開２００１−１０４２５４号公報（第３頁−５頁、第１図）
【特許文献３】特許第３６５６０８８号公報（第７頁−９頁、第１図）
【特許文献４】特開平１１−１８８０１６号公報（第４頁−５頁、第１図）
【発明の開示】
【発明が解決しようとする課題】
【００１４】
しかしながら従来の方法は、基礎代謝量の算定において体温の要因を正確に反映していない、という課題がある。
基礎代謝量と体温の説明に先だって、人間が１日に必要とするエネルギーすなわち総必要エネルギーと基礎代謝量との関係を若干説明する。
【００１５】
先の説明のように人間は、基礎代謝、運動代謝、食事代謝の３つの代謝を行っている。それぞれの代謝を総必要エネルギーとすると、簡易的には、総必要エネルギーは個人が日常生活で、どの程度の運動や労働をしているかを示す「活動レベル」を用いて算出されることもある。すなわち、下記の式で算出される。
【００１６】
総必要エネルギー＝基礎代謝量×活動レベル
【００１７】
活動レベルの内容は、図２３に記載の活動レベル表に示すように、活動の程度に応じた１．５０及び１．７５及び２．００の数字であり、活動レベルの逆数（百分率）が全体の総必要エネルギーに占める基礎代謝量の割合になる。
【００１８】
次に、総必要エネルギーの中で大きな割合を示す基礎代謝量とその体温との関係について説明する。
基礎代謝量は、身体の基本的機能を維持するために必要なエネルギーであるため、その値を決める主たる要因は身長、体重、年齢、性別、及び体温である。
なお、「体温」とは、厳密には「基礎体温」であるが、本発明の代謝エネルギー算定装置を説明する上では重要ではないので、本明細書及び特許請求の範囲では、単に「体温」と表現する。
特にこの体温については、非特許文献１によれば、体温が１℃低下すると基礎代謝量が１３％減少するとされ、体温の低下は基礎代謝量の減少とエネルギーの蓄積を引き起こす等、肥満に至る原因になると言われている。以下に詳細に説明する。
【００１９】
図２２は、体重１ｋｇ当りの基礎代謝量（学術的には基礎代謝基準値と称する）を性別、年代毎に表にしたものである。例えば、体重６７．０ｋｇ、年齢４５才の男性の場合、１日当たりの基礎代謝量は、６７．０ｋｇに２２．３を乗じて、１４９４．１ｋｃａｌ（キロカロリー）と算定される。
しかし、図２２に示した基礎代謝基準値表は、基礎代謝基準値を算出する際に体温は算出の条件に含まれていない。
【００２０】
ところで、日本人の標準的な体温は、３６．８９℃±０．３４℃と言われている。上述の男性の身体条件が日本人の標準的な状態になっていれば、この男性の基礎代謝量は上記の１４９４．１ｋｃａｌであるといって差し支えない。しかしながら、仮にこの男性の体温が、ある時までは日本人として標準的な体温すなわち３６．８９℃であったが、その後運動不足等の原因で３５．８９℃と、体温が１℃低下してしまったとすると、基礎代謝量はもはや１４９４．１ｋｃａｌではなく、１４９４．１ｋｃａｌの１３％の１９４．２ｋｃａｌが減少し、実際の基礎代謝量は、１４９４．１ｋｃａｌ−１９４．２ｋｃａｌ＝１２９９．９ｋｃａｌである、と言わなければならない。
【００２１】
また、図２３に示したように、この男性の活動レベルが１．７５（“普通”）であったとすると、この男性の体温が３５．８９℃の場合の１日に必要な総必要エネルギーは、１２９９．９ｋｃａｌ×１．７５＝２２７４．８ｋｃａｌとなる。
一方、体温が３６．８９℃の標準的な体温である場合は、１４９４．１ｋｃａｌ×１．７５＝２６１４．７ｋｃａｌである。
【００２２】
すなわち、体重６７．０ｋｇ、年齢４５才のこの男性の、基礎代謝量と、１日に必要とする総必要エネルギーとは、体温を反映するかしないかで下記のように変わる。
【００２３】
基礎代謝量
・体温を反映した（実際の）基礎代謝量＝１２９９．９ｋｃａｌ
・体温を反映しない基礎代謝量＝１４９４．１ｋｃａｌ
・上記２件のエネルギー差＝  １９４．２ｋｃａｌ
【００２４】
総必要エネルギー
・体温を反映した（実際の）総必要エネルギー＝２２７４．８ｋｃａｌ
・体温を反映しない総必要エネルギー＝２６１４．７ｋｃａｌ
・上記２件のエネルギー差＝３３９．９ｋｃａｌ
【００２５】
つまり、この男性の基礎代謝量は、１２９９．９ｋｃａｌであるにも拘わらず、体温を反映しないと１４９４．１ｋｃａｌとなり、１９４ｋｃａｌほど大きい値を認識してしまうことになる。
同様に、この男性に必要な総必要エネルギーは、２２７４．８ｋｃａｌであるにも拘わらず、体温を反映しないと２６１４．７ｋｃａｌとなり、３４０ｋｃａｌほど大きい値を認識してしまうことになる。
【００２６】
以上述べたように、基礎代謝量や総必要エネルギーに対する体温の影響は極めて大きいにも拘わらず、従来技術ではこの課題への対応が十分にできていない。
すなわち、特許文献２においては、呼吸代謝測定装置による実測によって基礎代謝量を測定するので、体温は基礎代謝量の算定に反映されていると言えるが、呼吸代謝測定装置は大学病院や研究期間が所有する高価な装置であり個人が家庭で健康管理に使用するには全く不向きである。
特許文献３においては、体温は基礎代謝状態の状態特定にのみ使用されており、特許文献４においては、体温は基礎代謝量の算定条件に含まれていない。
【００２７】
つまり、体温差に基づく基礎代謝量の差を定量的に算出し、使用者の身体の監視や健康管理に役立てることを行っていなければ、体温の低下によって生じる基礎代謝量の減少や、総必要エネルギーの減少を正しく把握することはできないのである。
したがって、使用者に対して、体温が低いことによって基礎代謝量が低下し、余分のエネルギーが身体に蓄積される（太り易い体質である）ということを報知する装置が望まれる。
【００２８】
本発明の目的は上記課題を解決し、使用者の体温を反映した基礎代謝量を算出することである。そして、標準的な体温ではない、いわゆる低体温の使用者に対しても正しい基礎代謝量あるいは総必要エネルギーを報知し、体温が標準より低いためにどのくらい太り易いかを使用者に気付かせ、更に太り易さを解消するための食事上や運動上の改善策を数値で提供する代謝エネルギー算定装置を低コストで実現することである。
【課題を解決するための手段】
【００２９】
上記目的を達成するために、本発明の代謝エネルギー算定装置は下記記載の構成を採用する。  
【００３０】
本発明の代謝エネルギー算定装置は、個人データを入力する個人データ入力部と、基礎代謝基準値を記憶する基礎代謝基準値記憶部と、個人データ入力部によって入力された個人データと基礎代謝基準値とから標準基礎代謝量データを算出する標準基礎代謝量算出部と、を有する代謝エネルギー算定装置において、
標準体温データを記憶する標準体温記憶部と、体温を入力する体温入力手段と、体温入力手段によって入力された体温データと標準体温データとの差を体温差分データとして算出する体温差分算出部と、標準基礎代謝量データと体温差分データとから推定基礎代謝量データを算出する推定基礎代謝量算出手段と、を備えたことを特徴とする。
【００３１】
これにより、標準基礎代謝量すなわち標準的日本人の基礎代謝量を算出し、更に使用者の体温と標準体温との温度差すなわち体温差分と標準基礎代謝量とから、その使用者の体温を反映した基礎代謝量すなわち推定基礎代謝量を算出するため、使用者の基礎代謝量を正確に提供することができる。
【００３２】
さらに、代謝エネルギー算定装置は、標準基礎代謝量データと推定基礎代謝量データとから、基礎代謝量差分データを算出する基礎代謝量差分算出手段を備えてもよい。
【００３３】
これにより、標準基礎代謝量（すなわち、標準的日本人の基礎代謝量）と、推定基礎代謝量（すなわち、使用者の体温を反映した使用者の基礎代謝量）との差を、具体的数値として算出することができる。
【００３４】
さらに、推定基礎代謝量算出手段は、体温差分データと標準基礎代謝量データとから基礎代謝量差分データを算出する基礎代謝量差分算出部と、基礎代謝量差分データと標準基
礎代謝量データとから推定基礎代謝量データを算出する推定基礎代謝量算出部と、によって構成されるようにしてもよい。
【００３５】
これにより、使用者の体温と標準体温との差による基礎代謝量の増減分が算出され、基礎代謝量を補正して推定基礎代謝量が算出されるので、使用者の体温を反映した推定基礎代謝量を正確に算出することができる。
【００３６】
さらに、代謝エネルギー算定装置は、基礎代謝量差分データを、太り易さ指数に換算する太り易さ指数換算ブロックを有してもよい。
【００３７】
これにより、基礎代謝量差分データを、太り易さの程度が太り易さ指数という具体的な数値として換算できる。
【００３８】
さらに、基礎代謝量差分データを用いる太り易さ指数換算ブロックは、食品または運動または蓄積脂肪量、またはそれらを組み合わせた換算手段としてもよい。
【００３９】
これにより、太り易さの程度は、食品や運動あるいは蓄積される脂肪量に換算できるので、使用者は自らの太り易さを認識して減量を進めるための対策を講じることが容易になる。
【００４０】
さらに、体温を入力する体温入力手段は、体温センサまたは体温の数値を設定する数値設定手段であってもよい。
【００４１】
また、体温を入力する体温入力手段は、体温の数値を設定する数値設定手段であってもよい。
【００４２】
これにより、使用者の体温は正確に本発明の代謝エネルギー算定装置に入力されるので推定基礎代謝量の算定がより正確になる。
【００４３】
さらに、代謝エネルギー算定装置は、個人の活動レベルを入力する活動レベル入力手段と、活動レベル入力手段によって入力された活動レベルデータと標準基礎代謝量データとから標準総必要エネルギーデータを算出する標準総必要エネルギー算出部と、活動レベルデータと推定基礎代謝量データとから推定総必要エネルギーデータを算出する推定総必要エネルギー算出部とを備えてもよい。
【００４４】
これにより、基礎代謝だけでなく、運動代謝も考慮に入れた標準総必要エネルギー（標準的日本人の１日の総エネルギー）と推定総必要エネルギー（使用者の体温を反映した使用者の１日の総エネルギー）との両方を、具体的数値で算出することができる。
【００４５】
さらに、代謝エネルギー算定装置は、標準総必要エネルギーデータと推定総必要エネルギーデータとから、総必要エネルギー差データを算出する総必要エネルギー差算出部を備えてもよい。
【００４６】
これにより、標準総必要エネルギー（標準的日本人の１日の総エネルギー）と推定総必要エネルギー（使用者の体温を反映した使用者の１日の総エネルギー）との差を、具体的数値で算出することができる。
【００４７】
さらに、総必要エネルギー差データを、太り易さ指数に換算する太り易さ指数換算ブロックを有することを特徴とする。
【００４８】
これにより、総必要エネルギー差データを、太り易さの程度が太り易さ指数という具体的な数値として換算できる。
【００４９】
さらに、総必要エネルギー差データを用いる太り易さ指数換算ブロックは、食品または運動または蓄積脂肪量、またはそれらを組み合わせた換算手段としてもよい。
【００５０】
これにより、太り易さの程度は、食品や運動あるいは蓄積される脂肪量に換算できるので、使用者は自らの太り易さを認識して減量を進めるための対策を講じることが容易になる。
【００５１】
さらに、活動レベルを入力する活動レベル入力手段は、外部機器からの情報を入力する入力手段を有し、この入力手段から入力された情報に基づいて活動レベルの数値を設定するようにしてもよい。
【００５２】
これにより、使用者の活動レベルは正確に本発明の代謝エネルギー算定装置に入力されるので標準総必要エネルギー及び推定総必要エネルギーの算出がより正確になる。
【００５３】
報知手段を有し、推定基礎代謝量データ、基礎代謝量差分データ、太り易さ指数、体温データの少なくとも１つを報知するようにしてもよい。
【００５４】
これにより、使用者は必要な情報を得ることができ、自らの太り易さを容易にかつ定量的に知り得ることができる。
【発明の効果】
【００５５】
上記の如く、本発明の代謝エネルギー算定装置によれば、使用者の体温を反映した基礎代謝量を算出することができる。更には、使用者の体温及び個人の活動レベルを反映した総必要エネルギーを算出することができる。
このようにすれば、標準的な体温ではない、例えば、低体温の使用者に対してもその体温を反映した基礎代謝量や総必要エネルギーを知りえることができる。
体温が標準より低いためにどの位太り易いかを使用者に気付かせ、更に太り易さを解消するための食事上や運動上の対策を提供することができる。さらに放置した場合に蓄積される脂肪の量を数値で具体的に提供することもできるので、使用者は体重を効果的に減らすことが可能となる。
【発明を実施するための最良の形態】
【００５６】
本発明の代謝エネルギー算定装置の特徴は、標準的な基礎代謝量データを入力し、記憶している標準体温と測定した体温との差を体温差分データとして算出して、この体温差分データに応じて標準基礎代謝量データを補正し、使用者の体温を反映した基礎代謝量である推定基礎代謝量データを算出するものである。
以下、発明を実施するための最良の形態を図面を用いて説明する。
【実施例１】
【００５７】
図１から図１０は、本発明の代謝エネルギー算定装置の第１の実施形態を示す図である。
本実施形態の代謝エネルギー算定装置は、使用者の体温を反映した推定基礎代謝量を算出するものである。
図１は機能ブロック図であり、図２は回路ブロック図であり、図３は外観図である。また図４及び図５はメインフローチャートであり、図６はディテールフローチャートである。また図７から図９は表示内容を示す外観図であり、図１０はメモリ部の内容を模式的に示す図表である。
【００５８】
［構成の説明１：図１］
以下、図１を用いて本実施形態の代謝エネルギー算定装置１の構成を説明する。図１において、本実施形態の代謝エネルギー算定装置１は、標準基礎代謝量算出ブロック２と、推定基礎代謝量算出ブロック３と、太り易さ指数換算ブロック６と、算定結果表示部７とで構成される。
【００５９】
［標準基礎代謝量算出ブロック２の説明］
標準基礎代謝量算出ブロック２は、基礎代謝基準値記憶部２１と個人データ入力部２２と標準基礎代謝量算出部２４とで構成され、使用者に対応する標準的な日本人の基礎代謝量のデータである標準基礎代謝量データＰ４を算出する。
【００６０】
標準基礎代謝量算出ブロック２の動作概要は次の通りである。
標準基礎代謝量算出ブロック２は、個人データ入力部２２によって個人データを入力し、基礎代謝基準値記憶部２１に記憶している情報から、個人データ入力部２２の出力である個人データＰ２に対応した基礎代謝基準値Ｐ１を読み出し、標準基礎代謝量算出部２４によって個人データＰ２と基礎代謝基準値データＰ１とに基づいた標準基礎代謝量データＰ４を算出する。そして、標準基礎代謝量算出ブロック２の出力として標準基礎代謝量データＰ４を出力する。
なお、標準基礎代謝量とは、標準的な日本人の統計データに基づき算出した標準的な基礎代謝量と定義する。
【００６１】
個人データ入力部２２は、後述する入力スイッチの中に設けられた複数のスイッチで構成され、使用者の個人データを入力する。個人データは、身長、体重、年齢、性別からなる個人データＰ２として出力される。
【００６２】
基礎代謝基準値記憶部２１は、標準的な日本人の基礎代謝量を男女別かつ年代別に記憶している。例えば、図２２に示した基礎代謝基準値表を記憶している。個人データＰ２の男女別と年代に対応する基礎代謝基準値を基礎代謝基準値データＰ１として出力する。
【００６３】
標準基礎代謝量算出部２４は、個人データＰ２の体重データと基礎代謝基準値データＰ１とから標準基礎代謝量データＰ４を算出する。
【００６４】
以下に、使用者として体重６７．０ｋｇの４５才の男性を例に標準基礎代謝量算出ブロック２の動作を説明する。
個人データ入力部２２によって使用者の個人データが入力され、個人データＰ２が出力される。基礎代謝基準値記憶部２１に記憶している基礎代謝量（図２２に示した基礎代謝基準値表）の男女別かつ年代条件に、個人データＰ２を当てはめる。例では、男性かつ４０才代であるから、基礎代謝基準値データＰ１は、２２．３ｋｃａｌ／ｋｇ・１日と読み出される。
次に、標準基礎代謝量算出部２４は、読み出された基礎代謝基準値データＰ１に、個人データＰ２の体重６７．０ｋｇを乗じて、下記式１のように標準基礎代謝量データＰ４を算出する。
【００６５】
［式１］
標準基礎代謝量データＰ４＝２２．３ｋｃａｌ／ｋｇ・１日×６７．０ｋｇ＝１４９４．１ｋｃａｌ／１日
【００６６】
［推定基礎代謝量算出ブロック３の説明］
次に、推定基礎代謝量算出ブロック３の構成及び動作の概要を説明する。
推定基礎代謝量算出ブロック３は、標準体温記憶部３０と体温入力手段３１と体温差分算出部３２と推定基礎代謝量算出手段３９と基礎代謝量差分算出手段３３とで構成され、推定基礎代謝量データＰ９と基礎代謝量差分データＰ１０とを算出する。
【００６７】
推定基礎代謝量算出ブロック３の動作概要は次の通りである。
推定基礎代謝量算出ブロック３は、体温入力手段３１によって体温を入力し、標準体温記憶部３０に記憶されている標準体温データＰ３と体温入力手段３１の出力である体温データＰ７とから体温差分算出部３２によって体温差分データＰ８を算出し、標準基礎代謝量データＰ４と体温差分データＰ８とから推定基礎代謝量算出手段３９によって推定基礎代謝量データＰ９を算出し、さらに推定基礎代謝量データＰ９と標準基礎代謝量データＰ４とから基礎代謝量差分算出手段３３によって基礎代謝量差分データＰ１０を算出する。すなわち、推定基礎代謝量算出ブロック３としての出力は推定基礎代謝量データＰ９と基礎代謝量差分データＰ１０である。
【００６８】
以下、推定基礎代謝量算出ブロック３の動作を詳述する。
前述した標準基礎代謝量算出ブロック２の標準基礎代謝量算出部２４で算出された標準基礎代謝量データＰ４は、使用者に対応する標準的な日本人の統計データに基づく標準的な値であるため、体温についても日本人の標準値が反映されていると考えられる。
一方個々の使用者においては体温も個々に異なり基礎代謝量も個々に異なる。すでに説明したように、正確には体温が１℃低下すると基礎代謝量は１３％減少することが知られているので、使用者の体温に応じて標準基礎代謝量データＰ４を補正し、使用者の体温を反映した基礎代謝量である推定基礎代謝量データＰ９を算出する。
【００６９】
さらに、後述する太り易さ指数の換算に使用するため、標準基礎代謝量データＰ４と推定基礎代謝量データＰ９との差を基礎代謝量差分データＰ１０として算出する。
【００７０】
標準体温記憶部３０は、日本人の平均体温である３６．８９℃を記憶し、標準体温データＰ３として出力する。
体温入力手段３１は、後述する方法で個々の使用者の異なる体温を入力し体温データＰ７として出力する。
体温を入力する手段には、後述する体温センサ１２を用いて実際に体温を測定して入力する方法と、個人データ入力部２２から体温を数値設定して入力する方法の両方がある。
【００７１】
体温差分算出部３２は、体温データＰ７と標準体温データＰ３とから体温差分データＰ８を算出する。体温差分データＰ８は、下記式２で算出する。
【００７２】
［式２］
体温差分データＰ８＝標準体温データＰ３−体温データＰ７
【００７３】
推定基礎代謝量算出部３９は、体温差分データＰ８と標準基礎代謝量算出ブロック２から入力される標準基礎代謝量データＰ４とから、使用者の体温を反映した基礎代謝量である推定基礎代謝量データＰ９を算出する。
前述したように体温が１℃低下すると基礎代謝量は１３％減少する。これを用いて、推定基礎代謝量データＰ９は、下記式３で算出する。
【００７４】
［式３］
推定基礎代謝量データＰ９＝標準基礎代謝量データＰ４×（１−０．１３×体温差分データＰ８）
【００７５】
使用者として４５才、６７．０ｋｇ、体温が３５．８９℃の男性を例に詳述する。
この男性の体温データＰ７は、３５．８９℃であり、標準体温データＰ３は、３６．８９℃であるから、体温差分算出部３２の出力である体温差分データＰ８は、式２に示すようにその差分を取り、１．０℃  となる。
推定基礎代謝量データＰ９は、式１に示す標準基礎代謝量データＰ４の１４９４．１ｋｃａｌ／１日に対して、体温が１℃低下したときの基礎代謝量の低下分１３％を鑑みて、式３に示すように、１２９９．９ｋｃａｌ／１日、と算出される。
【００７６】
基礎代謝量差分算出手段３３は、推定基礎代謝量データＰ９と標準基礎代謝量データＰ４とから基礎代謝量差分データＰ１０を算出する。
基礎代謝量差分データＰ１０は、下記式４で算出する。
【００７７】
［式４］
基礎代謝量差分データＰ１０＝標準基礎代謝量データＰ４−推定基礎代謝量データＰ９
【００７８】
この使用者の場合、基礎代謝量差分データＰ１０は、１４９４．１ｋｃａｌ／１日から１２９９．９ｋｃａｌ／１日を減算して１９４．２ｋｃａｌ／１日、と算出される。
【００７９】
［太り易さ指数換算ブロック６の説明］
次に、太り易さ指数換算ブロック６の構成及び動作の概要を説明する。
太り易さ指数換算ブロック６は、食品換算手段６２と運動換算手段６３と蓄積脂肪量換算手段６４とを有しており、基礎代謝量差分データＰ１０を食品や運動や蓄積脂肪量に換算し、食品指数データＰ１３、運動指数データＰ１４、脂肪指数データＰ１５を出力する。
つまり、基礎代謝量差分データＰ１０を、使用者が分かりやすい指数（食品や運動や蓄積脂肪量）に換算するものである。本実施形態では、食品、運動、蓄積脂肪量の３つに換算する例を示しているが、もちろん、これらのうちどれか１つを換算するだけでもかまわない。
【００８０】
太り易さ指数換算ブロック６の動作概要は次の通りである。
太り易さ指数換算ブロック６は、日々蓄積される余剰エネルギーである基礎代謝量差分データＰ１０を３つの太り易さ指数に換算し出力する。食品換算手段６２は、基礎代謝量差分データＰ１０を食品指数データＰ１３に、運動換算手段６３は、基礎代謝量差分データＰ１０を運動指数データＰ１４に、蓄積脂肪量換算手段６４は、基礎代謝量差分データＰ１０を脂肪指数データＰ１５に、各々換算し出力する。
【００８１】
以下、太り易さ指数換算ブロック６の動作を詳述するが、これまでの説明と同ように、４５才、６７．０ｋｇ、体温が３５．８９℃の男性の使用者の例を用いる。
【００８２】
［食品換算手段６２の説明］
まず、食品換算手段６２を説明する。
食品換算手段６２は、任意の食品１グラムまたは単位個数当りのｋｃａｌ値を記憶しており、基礎代謝量差分データＰ１０を任意の食品の量に換算し、食品指数データＰ１３として出力する。
任意の食品を、例えばおにぎりとする。おにぎりは、１個分がおおよそ１２０ｋｃａｌ〜２３０ｋｃａｌと知られている。米の炊き方や米の品種、具を入れればその具によっても異なるためである。雑誌や病院広報誌等に開示されている情報によれば、平均的には１６０ｋｃａｌと考えられる。
食品指数データＰ１３は、下記式５で算出する。
【００８３】
［式５］
食品指数データＰ１３＝基礎代謝量差分データＰ１０／おにぎり１個分のｋｃａｌ
【００８４】
つまり、基礎代謝量差分データＰ１０を、おにぎりの個数に換算し食品指数データＰ１３として出力する。
式４に示す基礎代謝量差分データＰ１０は、１９４．２ｋｃａｌ／１日と算出されているから、これをおにぎり１個分のエネルギー１６０ｋｃａｌで除算し、食品指数データＰ１３は、１．２個／１日、と算出される。
この結果から、この使用者は、１日におにぎり１．２個を節食すれば基礎代謝量の段階での肥満を止められることが分かる。
【００８５】
［運動換算手段６３の説明］
次に、運動換算手段６３を説明する。
運動換算手段６３は、任意の運動の消費ｋｃａｌを記憶しており、基礎代謝量差分データＰ１０を任意の運動の量に換算し、運動指数データＰ１４として出力する。
任意の運動を、例えば速歩運動（速い歩き）とする。例えば、体重６０ｋｇの人が時速４ｋｍの速歩で歩幅７０ｃｍにて１０分間歩いたとき、約３０ｋｃａｌとなるといわれている。雑誌や病院広報誌等に開示されている情報によれば、速歩運動の歩数と消費カロリーとの関係は、３００ｋｃａｌ／１万歩とすることができる。
運動指数データＰ１４は、下記式６で算出する。
【００８６】
［式６］
運動指数データＰ１４＝基礎代謝量差分データＰ１０／速歩運動の消費ｋｃａｌ
【００８７】
つまり、基礎代謝量差分データＰ１０を、速歩運動の歩数に換算し運動指数データＰ１４として出力する。
式４に示す基礎代謝量差分データＰ１０は、１９４．２ｋｃａｌ／１日と算出されているから、これを速歩運動の消費エネルギー３００ｋｃａｌ／１万歩で除算し、運動指数データＰ１４は、６４７０歩／１日、と算出される。
この結果から、この使用者は、毎日６４７０歩の速歩運動を追加すれば基礎代謝量の段階での肥満を止められることが分かる。
【００８８】
［蓄積脂肪量換算手段６４の説明］
次に、蓄積脂肪量換算手段６４を説明する。
蓄積脂肪量換算手段６４は、脂肪量１ｋｇ当りのｋｃａｌ値を記憶しており、基礎代謝量差分データＰ１０を蓄積される脂肪量に換算し、脂肪指数データＰ１５として出力する。
雑誌や病院広報誌等に開示されている情報によれば、脂肪量と消費カロリーとの関係は、７２００ｋｃａｌ／１ｋｇと知られている。
脂肪指数データＰ１５は、下記式７で算出する。
【００８９】
［式７］
脂肪指数データＰ１５＝基礎代謝量差分データＰ１０／脂肪１ｋｇのｋｃａｌ
【００９０】
つまり、基礎代謝量差分データＰ１０を、蓄積脂肪量に換算し脂肪指数データＰ１５として出力する。
式４に示す基礎代謝量差分データＰ１０は、１９４．２ｋｃａｌ／１日と算出されているから、これを脂肪１ｋｇ当たりのエネルギー７２００ｋｃａｌで除算し、脂肪指数データＰ１５は、０．０２７０ｋｇ／１日を得る。そして、３６５日分を乗算して９．８４ｋｇ／１年、と算出される。
この結果から、この使用者は、このまま放置すれば基礎代謝量の段階で１年間に体重が
約１０ｋｇも増加し、しかも殆どが脂肪であることが分かる。
【００９１】
［算定結果表示部７の説明］
次に、算定結果表示部７の構成及び動作の概要を説明する。算定結果表示部７は、使用者に算出した結果を報知する手段である。また、本実施形態では、報知手段を代謝エネルギー算定装置１に組み込んでいるが、報知手段と代謝エネルギー算定装置１とを別体にすることもできる。
算定結果表示部７は、推定基礎代謝量表示エリア７１と基礎代謝量差分表示エリア７３と食品指数表示エリア７４と運動指数表示エリア７５と脂肪指数表示エリア７６とから構成され、推定基礎代謝量算出ブロック３及び太り易さ指数換算ブロック６の出力を表示する。
【００９２】
算定結果表示部７の動作概要は次の通りである。
推定基礎代謝量表示エリア７１は、推定基礎代謝量データＰ９を表示する。基礎代謝量差分表示エリア７３は基礎代謝量差分データＰ１０を表示する。
食品指数表示エリア７４は、基礎代謝量差分データＰ１０をおにぎりの個数に換算した食品指数データＰ１３を表示する。運動指数表示エリア７５は、基礎代謝量差分データＰ１０を速歩運動の歩数に換算した運動指数データＰ１４を表示する。脂肪指数表示エリア７６は、基礎代謝量差分データＰ１０を年間に蓄積される脂肪量に換算した脂肪指数データＰ１５を表示して使用者の太り易さの状態を知らせる。
以下にその表示の例を示す。
【００９３】
・推定基礎代謝量表示エリア７１の表示（Ｐ９）＝１２９９．９ｋｃａｌ／１日
・基礎代謝量差分表示エリア７３の表示（Ｐ１０）＝１９４．２ｋｃａｌ／１日
・食品指数表示エリア７４の表示（Ｐ１３）＝１．２個／１日
・運動指数表示エリア７５の表示（Ｐ１４）＝６４７０歩／１日
・脂肪指数表示エリア７６の表示（Ｐ１５）＝９．８４ｋｇ／１年  
【００９４】
なお、算定結果表示部７の表示内容は上記のように数値を表示する以外に、ある定められた基準の値、例えば基礎代謝量差分であれば標準基礎代謝量または推定基礎代謝量との比率を百分率（％）で表し、視覚的に把握しやすい円グラフや棒グラフ等で表現することも勿論可能である。
【００９５】
また算定結果の報知は、以上述べた様な視覚的報知のみ成らず、音声やアラーム、チャイムといった音響的手段を用いた報知も勿論可能である。推定基礎代謝量の管理が特に厳格に必要な疾病を患っている患者は、視覚的障害を併発する場合もあるため、音響的な報知手段は大変有効である。
【００９６】
［回路的な構成の説明：図２］
次に、図２を用いて本実施形態の代謝エネルギー算定装置の回路的な構成を説明する。
図２において代謝エネルギー算定装置１は、体温センサ１２と、温度換算器１３と、マイクロプロセッサ９と、表示器１１と、入力スイッチ１０と、電源１４とで構成される。
【００９７】
体温センサ１２の先端には図示はしないがサーミスタが内蔵されており、温度はサーミスタによって第１体温信号Ｐ７ａに変換され、温度換算器１３によって第２体温信号Ｐ７ｂに換算され、マイクロプロセッサ９に入力される。
つまり、温度換算器１３は、第１体温信号Ｐ７ａを、マイクロプロセッサ９での処理に適した第２体温信号Ｐ７ｂに換算する。
【００９８】
マイクロプロセッサ９は、各データの算出部、算出手段、換算手段及び記憶部を有する
。いわゆるマイクロコントローラである。
マイクロプロセッサ９は、演算処理部９１とメモリ部９２とを備え、個人データＰ２と、体温データＰ７（体温を測定して入力する場合は第２体温信号Ｐ７ｂ）とを入力として、内部の処理プログラムに基づいてデータの演算や内部の制御を行う。そして、推定基礎代謝量データＰ９と、基礎代謝量差分データＰ１０と、食品指数データＰ１３と、運動指数データＰ１４と、脂肪指数データＰ１５とを出力する。
また、メモリ部９２は個人データや演算処理結果等を記憶するデータメモリ９２１と、固定値を記憶する固定値メモリ９２２とで構成される。
【００９９】
入力スイッチ１０はデータ入力手段であり、個人データ入力部２２と電源スイッチ１５とで構成される。個人データ入力部２２は、選択スイッチ２２ａと、アップスイッチ２２ｂと、ダウンスイッチ２２ｃと、決定スイッチ２２ｄと、体温測定スイッチ２２ｅとで構成されている。
使用者は、上記スイッチを操作して、身長、体重、年齢、性別を入力する。そして、個人データ入力部２２は、個人データＰ２としてマイクロプロセッサ９に出力する。また、体温を数値設定で入力する場合では、同じく上記スイッチを操作して（例えば、アップスイッチ２２ｂやダウンスイッチ２２ｃを複数回操作して）体温データＰ７を入力する。そして、個人データ入力部２２は、体温データＰ７をマイクロプロセッサ９に出力する。
【０１００】
電源１４は、電池等による電源である。代謝エネルギー算定装置１を駆動する出力Ｐｓを供給する。
電源スイッチ１５は、この駆動電源出力Ｐｓを制御する電源制御信号Ｐａをマイクロプロセッサ９に出力する。
【０１０１】
報知手段である表示器１１は、数字や絵文字あるいはマーク等が表示可能であり、低消費電力化が期待できる液晶表示素子を用いることが望ましい。
表示器１１は、算定結果を表示する算定結果表示部７と個人データＰ２等を表示する個人データ表示部８とで構成される。算定結果表示部７は、推定基礎代謝量表示エリア７１と、基礎代謝量差分表示エリア７３と、食品指数表示エリア７４と、運動指数表示エリア７５と、蓄積脂肪量表示エリア７６とで構成される。また、個人データ表示部８は、数値エリア８１とマーカーエリア８２とで構成され、数値エリア８１は個人データの数値情報を表示し、マーカーエリア８２は個人データの項目を表示する。
【０１０２】
［装置外観の説明：図３］
次に、図３を用いて本実施形態の代謝エネルギー算定装置１の外観図を説明する。
代謝エネルギー算定装置１の大きさは、体温センサを含め小型手帳またはクレジットカードを若干上回る程度の携帯に便利なサイズで、日常使用する上で利便性が考慮されている。
体温センサ１２は、代謝エネルギー算定装置１と柔軟なケーブルで接続されており、就寝中や昼間活動しているときであっても体温を計測する際に便利な構造となっている。
【０１０３】
図３に示す例では、表示器１１にドットマトリクス形の液晶表示装置を用いる例を示している。このため、各表示エリアごとに分けられてはいない。
推定基礎代謝量表示エリア７１の部分では、「推定基礎代謝量  １３００ｋｃａｌ」、基礎代謝量差分表示エリア７３の部分では、「標準との差  １９４ｋｃａｌ」と表示している。
食品指数表示エリア７４の部分では、「太り易さ  おにぎり１．２個」、同様に、運動指数表示エリア７５の部分では、「速歩６４７０歩」と表示している。蓄積脂肪量表示エリア７６の部分では、「このままでは１年後に脂肪が９．８ｋｇ増えます」と表示している。
数値エリア８１の部分では、使用者の体温を「３５．８９℃」と表示している。
マーカーエリア８２の部分では、「身長、体重、年齢、性別、活動、体温」と表示し、個人データを入力するときの項目を表示している。
なお、文字「Ｍ」は、使用者の性別を示すものである。
【０１０４】
［動作フローによる基本動作の説明：図４〜図１０］
次に、図４から図６のフローチャートと図７から図９の外観図及び図１０のメモリ部の内容を示す図表とを用いて、本実施形態の代謝エネルギー算定装置における基本動作を説明する。
【０１０５】
まず、使用者が図７の電源スイッチ１５を押すと、代謝エネルギー算定装置１は動作状態に移行する（ステップＳＴ１）。
【０１０６】
始めに表示器１１の点灯確認を行う。図７に示すように、表示器１１の全ての表示エレメントを点灯させ、使用者に表示文字の欠落の有無を知らせる（ステップＳＴ２）。
なお、表示器１１にドットマトリクス形の液晶表示装置を用いる場合は、全てのドットを点灯させてもよい。
【０１０７】
次に、使用者の身長、体重、性別、年齢からなる個人データと、体温を数値設定で入力する場合では体温データと、を入力する。
すなわち、ステップＳＴ２の点灯確認の後、図８に示すように個人データ表示部８の中のマーカーエリア８２の“身長”のマーカーが点灯し、使用者が既に身長を入力してあればその値が、もし何も入力してなければ“１６５ｃｍ”のように、デフォルト値が個人データ表示部８の数値エリア８１に表示されるので、アップスイッチ２２ｂとダウンスイッチ２２ｃとを用いて値を増減し、所定の値、例えば“１７３．０ｃｍ”に合わせた後、決定スイッチ２２ｄを押す。
【０１０８】
決定スイッチ２２ｄが押されると、図１０に示すようにマイクロプロセッサ９に内蔵されているメモリ部９２の身長データエリア９２ａに身長データが記憶される。なお、本実施形態の代謝エネルギー算定装置１は各データの算出において身長データは不要であるが、一有力身体情報とし入力するものとする（ステップＳＴ３）。
【０１０９】
同様な手順を経て、“体重”、“年齢”、“性別”の情報を、メモリ部９２の体重データエリア９２ｂ、年齢データエリア９２ｃ、性別データエリア９２ｄに記憶する。
なお、性別の情報を入力する際には、数値エリア８１に表示された”Ｍ“（男性）或いは“Ｆ”（女性）の何れかを選び、決定スイッチ２２ｄを押す。
これらの情報は、すでに説明した例と同じく、体重６７．０ｋｇ、年齢４５歳、性別男性を例にする。
【０１１０】
次に、図９に示すようにマーカーエリア８２の“体温”のマーカーが点灯し、使用者が既に体温を入力してあればその値が、もし何も入力してなければ、“３７．００℃”のように、デフォルト値が数値エリア８１に表示されるので、体温を数値設定で入力する場合は、アップスイッチ２２ｂとダウンスイッチ２２ｃを用いて値を増減し、所定の値、例えば“３５．８９℃”に合わせた後、決定スイッチ２２ｄを押す。
【０１１１】
また、体温センサ１２を用いて測定して入力する場合は、アップスイッチ２２ｂまたはダウンスイッチ２２ｃで、３４．００℃及び４２．００℃の体温設定範囲を超えて更に押し、例えば、“Ｌ”を表示させて決定スイッチ２２ｄを押す。決定スイッチ２２ｄが押されると、メモリ部９２の体温データエリア９２ｆに、体温が体温データＰ７として記憶される。なお、体温センサ１２を用いずに上記の操作をした場合は、“Ｌ”が記憶される。
【０１１２】
ステップＳＴ３は、図１に示す標準基礎代謝量算出ブロック２の個人データ入力部２２及び推定基礎代謝量算出ブロック３の体温入力手段３１に対応している。
【０１１３】
次に、メモリ部９２の基礎代謝基準値記憶部９２ｔに予め記憶されている図２２に示した基礎代謝基準値表と、ステップＳＴ３において入力され年齢データエリア９２ｃに記憶された使用者の年齢４５歳と、同じく性別データエリア９２ｄに記憶された使用者の性別男性と、から、使用者の基礎代謝基準値データＰ１を読み出し、標準基礎代謝量データＰ４を算出する（ステップＳＴ４）。
【０１１４】
基礎代謝基準値Ｐ１は、２２．３ｋｃａｌ／ｋｇ・１日と読み出されるので、式１に示すように、体重データエリア９２ｂに記憶された使用者の体重６７．０ｋｇを乗じて、標準基礎代謝量データＰ４を１４９４．１ｋｃａｌ／１日、と算出し標準基礎代謝量データエリア９２ｊに記憶する。
【０１１５】
ステップＳＴ４は、図１に示す標準基礎代謝量算出ブロック２の標準基礎代謝量算出部２４に対応している。              
【０１１６】
次に、体温を測定するか否か判断を行う。すなわち、メモリ部９２の体温データエリア９２ｆの内容が“Ｌ”に設定されていれば、次の体温測定のステップＳＴ６に進み、体温データエリア９２ｆの内容が“Ｌ”に設定されていなければステップＳＴ７に進む（ステップＳＴ５）。
【０１１７】
メモリ部９２の体温データエリア９２ｆの内容が“Ｌ”に設定されていれば、個人データ表示部８のデータ表示エリア８２の中の、“体温”のマーカーが点灯し、使用者に体温測定を促す。使用者は体温センサ１２を脇の下または口中の舌の下に入れ、体温測定スイッチ２２ｅを押す（ステップＳＴ６）。
【０１１８】
体温計測スイッチ２２ｅが押されると、体温は体温センサ１２によって第１体温信号Ｐ７ａに変換され、さらに温度換算器１３によって第２体温信号Ｐ７ｂに換算されてマイクロプロセッサ９に入力される。このとき、個人データ表示部８のマーカーエリア８２の中の“体温”のマーカーが点滅し、体温測定が継続中であることを使用者に知らせてもよい。
【０１１９】
例えば、２０分間以上経過し、３分間の温度上昇が０．１℃以下になるなど、体温の測定値の上昇が止まると、測定結果を体温データＰ７としメモリ部９２の体温データエリア９２ｆに記憶すると共に、図９に示すように個人データ表示部８の中の数値エリア８１に、“３５．８９℃”のように表示する。また、マーカーエリア８２の“体温”のマーカーは点滅から点灯に変わり、使用者に体温計測が終了したことを知らせる。
【０１２０】
ステップＳＴ６は、図１に示す推定基礎代謝量算出ブロック３の体温入力手段３１に対応している。
【０１２１】
次に、メモリ部９２の標準体温記憶部エリア９２ｓに記憶されている標準体温データＰ３（３６．８９℃）と、メモリ部９２の体温データエリア９２ｆに記憶された体温データＰ７（３５．８９℃）とから、式２を用いて体温差分データＰ８を算出する。
すなわち、体温差分データＰ８を１．０℃と算出し、メモリ部９２の体温差分データエリア９２ｍに記憶する（ステップＳＴ７）。
【０１２２】
ステップＳＴ７は、図１に示す推定基礎代謝量算出ブロック３の標準体温記憶部３０及
び体温差分算出部３２に対応している。
【０１２３】
ステップＳＴ８は、メモリ部９２の標準基礎代謝量データエリア９２ｊに記憶されている標準基礎代謝量データＰ４（１４９４．１ｋｃａｌ／１日）と、メモリ部９２の体温差分データエリア９２ｍに記憶されている体温差分データＰ８（１．０℃）と、体温１℃当りの基礎代謝量の増減率（１３％）とから、式３を用いて推定基礎代謝量データＰ９を算出する。
すなわち、推定基礎代謝量データＰ９を１２９９．９ｋｃａｌ／１日、と算出しメモリ部９２の推定基礎代謝量データエリア９２ｐに記憶すると共に、図９に示すように算定結果表示部７の推定基礎代謝量表示エリア７１に表示する（ステップＳＴ８）。なお、図９に示す例では、１２９９．９ｋｃａｌ／１日を、見やすくするために１３００ｋｃａｌと表示している。
【０１２４】
ステップＳＴ８は、図１に示す推定基礎代謝量算出ブロック３の推定基礎代謝量算出手段３９に対応している。
【０１２５】
ステップＳＴ８ａでは、メモリ部９２の標準基礎代謝量データエリア９２ｊに記憶されている標準基礎代謝量データＰ４（１４９４．１ｋｃａｌ／１日）と、メモリ部９２の推定基礎代謝量データエリア９２ｐに記憶されている推定基礎代謝量データＰ９（１２９９．９ｋｃａｌ／１日）とから、式４を用いて基礎代謝量差分データＰ１０を算出する。
すなわち、基礎代謝量差分データＰ１０を１９４．２ｋｃａｌ／１日、と算出しメモリ部９２の基礎代謝量差分データエリア９２ｎに記憶すると共に、図９に示すように算定結果表示部７の基礎代謝量差分表示エリア７３に表示する（ステップＳＴ８ａ）。なお、図９に示す例では、１９４．２ｋｃａｌ／１日を、見やすくするために１９４ｋｃａｌと表示している。
【０１２６】
ステップＳＴ８ａは、図１に示す推定基礎代謝量算出ブロック３の基礎代謝量差分算出手段３３に対応している。
【０１２７】
図５のステップＳＴ９では、メモリ部９２の基礎代謝量差分データエリア９２ｎに記憶した基礎代謝量差分データＰ１０を、３つの太り易さ指数、すなわち、食品指数及び運動指数及び脂肪指数に換算して図９のように表示器１１で表示する。ステップＳＴ９は、図６に示すように、ステップＳＴ９１、ステップＳＴ９２、ステップＳＴ９３で構成される。
【０１２８】
ステップＳＴ９１においては、食品指数データＰ１３を算出し、図９の表示器１１で表示する。
メモリ部９２の食品換算データエリア９２ｕには、任意の食品１グラムまたは単位個数当りのｋｃａｌが記憶されている。すでに説明した例では、おにぎり１個分のｋｃａｌ＝１６０ｋｃａｌ／１個が記憶されている。
メモリ部９２の基礎代謝量差分データエリア９２ｎに記憶した基礎代謝量差分データＰ１０（１９４．２ｋｃａｌ／１日）を、式５を用いておにぎりの個数に換算する。
すなわち、食品指数データＰ１３を１．２個／１日、と換算すると共に、図９に示すように算定結果表示部７の食品指数表示エリア７４に表示する（ステップＳＴ９１）。
【０１２９】
ステップＳＴ９２においては、運動指数データＰ１４を算出し、図９の表示器１１で表示する。
メモリ部９２の運動換算データエリア９２ｖには、任意の運動の消費ｋｃａｌが記憶されている。すでに説明した例では、３００ｋｃａｌ／１万歩が記憶されている。
メモリ部９２の基礎代謝量差分データエリア９２ｎに記憶した基礎代謝量差分データＰ
１０（１９４．２ｋｃａｌ／１日）を、式６を用いて速歩運動の歩数に換算する。
すなわち、運動指数データＰ１４を６４７０歩／１日、と換算すると共に、図９に示すように算定結果表示部７の運動指数表示エリア７５に表示する（ステップＳＴ９２）。
【０１３０】
ステップＳＴ９３においては、脂肪指数データＰ１５を算出し、図９の表示器１１で表示する。
メモリ部９２の脂肪換算データエリア９２ｗには、脂肪１ｋｇ当りのｋｃａｌが記憶されている。すでに説明した例では、７２００ｋｃａｌが記憶されている。
メモリ部９２の基礎代謝量差分データエリア９２ｎに記憶した基礎代謝量差分データＰ１０（１９４．２ｋｃａｌ／１日）を、式７を用いて蓄積される脂肪量に換算する。
すなわち、脂肪指数データＰ１５を９．８ｋｇ／１年、と換算すると共に、図９に示すように算定結果表示部７の脂肪指数表示エリア７６に表示する（ステップＳＴ９３）。
【０１３１】
ステップＳＴ９１は、図１に示す太り易さ指数換算ブロック６の食品換算手段６２に、ステップＳＴ９２は、太り易さ指数換算ブロック６の運動換算手段６３に、ステップＳＴ９３は、太り易さ指数換算ブロック６の蓄積脂肪量換算手段６４に、それぞれ対応している。
【０１３２】
次に、使用者が個人データの再入力を行うか否かを判断する。
図９の入力スイッチ１０の選択スイッチ２２ａが押されたか否かを判断し、押されていればステップＳＴ３に、押されていなければ次のステップＳＴ１１に移る（ステップＳＴ１０）。
【０１３３】
次に、図９の体温計測スイッチ２２ｅが押されていればステップＳＴ６に、押されていなければ次のＳＴ１２に移る（ステップＳＴ１１）。
【０１３４】
次に、図９の入力スイッチ１０の電源スイッチ１５が押されていればステップＳＴ１４に、押されていなければ次のステップＳＴ１３に移る（ステップＳＴ１２）。
【０１３５】
次に、操作がなされていない状態が３分間継続したか否かを判断する。３分間経過していなければステップＳＴ１０に、３分間経過したら次のステップＳＴ１４に移る（ステップＳＴ１３）。なお、この３分間は一例である。
【０１３６】
次に、マイクロプロセッサ９は休止状態になり、代謝エネルギー算定装置１の動作が停止する（ステップＳＴ１４）。
【０１３７】
以上のフローチャートの説明で示されるように、使用者は自らの個人データ及び体温を入力することで、体温を反映した推定基礎代謝量データＰ９と、基礎代謝量差分データＰ１０と、太り易さ指数（食品指数データＰ１３、運動指数データＰ１４、脂肪指数データＰ１５）と、を具体的な数値で認識することができる。そして、これを利用することで、体重を効果的に減量することができるのである。
【実施例２】
【０１３８】
図１１から図１９を用いて本発明の代謝エネルギー算定装置の第２の実施形態について説明する。
本実施形態の代謝エネルギー算定装置は、使用者の体温及び身体活動エネルギーを反映した総エネルギー必要量を算出するものである。
図１１は機能ブロック図であり、図１２は回路ブロック図であり、図１３は外観図である。また図１４及び図１５はメインフローチャートであり、図１６はディテールフローチャートである。また図１７、図１８は表示内容を示す外観図であり、図１９はメモリ部の
内容を模式的に示す図表である。
なお、本実施形態における代謝エネルギー算定装置１００は、前述の第１の実施形態における代謝エネルギー算定装置１と基本的な構成は同じであり、同一要素には同一番号を付し重複する説明は省略する。
【０１３９】
図１１の機能ブロック図において、代謝エネルギー算定装置１００は、標準基礎代謝量算出ブロック２と、推定基礎代謝量算出ブロック３と、標準総必要エネルギー算出ブロック４と、推定総必要エネルギー算出ブロック５と、太り易さ指数換算ブロック６と、算定結果表示部７０とで構成され、第１の実施形態とは標準総必要エネルギー算出ブロック４と推定総必要エネルギー算出ブロック５とが加わった点で異なる
【０１４０】
なお、以下の説明において、使用者は、年齢４５才、体重６７．０ｋｇ、体温３５．８９℃、後述する活動レベルが１．７５である男性を例にして説明する。
【０１４１】
標準基礎代謝量算出ブロック２は、第１の実施形態の場合と同じなので説明は省略する。
標準基礎代謝量算出ブロック２の出力である標準基礎代謝量データＰ４は、１４９４．１ｋｃａｌ／１日である。
【０１４２】
推定基礎代謝量算出ブロック３は、第１の実施形態の場合と同じなので説明は省略する。
推定基礎代謝量算出ブロック３の出力である推定基礎代謝量データＰ９は、１２９９．９ｋｃａｌ／１日である。
【０１４３】
［標準総必要エネルギー算出ブロック４の説明］
標準総必要エネルギー算出ブロック４は、標準総必要エネルギー算出部４１と活動レベル入力手段４２とから構成されている。
活動レベル入力手段４２は、後述する方法で使用者の活動のレベルを入力し活動レベルデータＰ５を出力する。
標準総必要エネルギー算出部４１は、標準基礎代謝量データＰ４と活動レベルデータＰ５とから標準的な日本人の１日に必要な総エネルギー、すなわち、標準総必要エネルギーデータＰ６を算出する。
なお、標準総必要エネルギーとは、標準的な日本人の統計データに基づき算出された１日に必要な総エネルギーと定義する。
【０１４４】
活動レベル入力手段４２は、使用者の活動のレベルを入力し活動レベルデータＰ５を出力するのであるが、図２３に示した活動レベル表のように、活動レベルとは、使用者の日々の活動状況に応じて定められた１．５０、１．７５、２．００の３段階の数値である。
この数値の入力方法は、後述する入力手段としての入力スイッチ１０による場合と、後述する外部機器接続端子１６に歩数計や活動度計など外部機器を接続する場合と、いずれも可能である。
【０１４５】
標準総必要エネルギー算出部４１は、標準基礎代謝量データＰ４と活動レベルデータＰ５とから標準総必要エネルギーデータＰ６を算出するのであるが、既に発明したように、標準基礎代謝量算出ブロック２によって出力される標準基礎代謝量データＰ４（１４９４．１ｋｃａｌ／１日）に活動レベル（１．７５）を乗じれば、１日に必要な総エネルギー、すなわち、標準総必要エネルギーデータＰ６が得られる。その式は、下記式８に示す。
【０１４６】
［式８］
標準総必要エネルギーデータＰ６＝１４９４．１ｋｃａｌ／１日×１．７５＝２６１４
．７ｋｃａｌ／１日
【０１４７】
標準総必要エネルギー算出ブロック４は、また活動レベルデータＰ５（１．７５）を後述する推定総必要エネルギー算出ブロック５に出力する。
【０１４８】
［推定総必要エネルギー算出ブロック５の説明］
推定総必要エネルギー算出ブロック５は、推定総必要エネルギー算出部５１と総必要エネルギー差算出部５２とから構成されている。
推定総必要エネルギー算出部５１は、活動レベルデータＰ５と推定基礎代謝量算出ブロック３からの推定基礎代謝量データＰ９とから、使用者の体温を反映した推定総必要エネルギーデータＰ１１を算出する。
総必要エネルギー差算出部５２は、推定総必要エネルギーデータＰ１１と標準総必要エネルギーデータＰ６との差である総必要エネルギー差データＰ１２を出力する。
【０１４９】
標準総必要エネルギー算出ブロック４から出力される標準総必要エネルギーデータＰ６は、標準的な日本人の統計データに基づく１日の総エネルギーであるため、体温についても日本人の標準値が反映されていると考えられる。一方、第１の実施形態の説明で詳述したように、個々の使用者においては体温も個々に異なり基礎代謝量も個々に異なる。したがって、使用者の体温に応じて１日の総エネルギーを補正し、使用者の体温を反映した１日の総エネルギーすなわち推定総必要エネルギーデータＰ１１を算出することが必要である。
なお、推定総必要エネルギーとは、標準的な日本人の統計データに基づき算出された標準総必要エネルギーを、個々の使用者の個々の体温に応じて補正したものと定義する。  
【０１５０】
推定総必要エネルギー算出部５１は、推定基礎代謝量データＰ９と活動レベルデータＰ５とから推定総必要エネルギーデータＰ１１を算出する。
推定総必要エネルギーデータＰ１１は、下記式９で算出する。
【０１５１】
［式９］
推定総必要エネルギーデータＰ１１＝推定基礎代謝量データＰ９×活動レベルデータＰ５
【０１５２】
この使用者の場合、推定総必要エネルギーデータＰ１１は、１２９９．９ｋｃａｌ／１日に１．７５を乗算し、２２７４．８ｋｃａｌ／１日、と算出される。
【０１５３】
総必要エネルギー差算出部５２は、標準総必要エネルギーデータＰ６と推定総必要エネルギーデータＰ１１とから総必要エネルギー差データＰ１２を算出する。
総必要エネルギー差データＰ１２は、下記式１０で算出する。
【０１５４】
［式１０］
総必要エネルギー差データＰ１２＝標準総必要エネルギーデータＰ６−推定総必要エネルギーデータＰ１１
【０１５５】
この使用者の場合、総必要エネルギー差データＰ１２は、２６１４．７ｋｃａｌ／１日から２２７４．８ｋｃａｌ／１日の差を取り、３３９．９ｋｃａｌ／１日、と算出される。
【０１５６】
［太り易さ指数換算ブロック６の説明］
太り易さ指数換算指数ブロック６は、食品換算手段６２と運動換算手段６３と蓄積脂肪量換算手段６４とから構成され、総必要エネルギー差データＰ１２を食品や運動や蓄積脂
肪量に換算し、食品指数データＰ１３、運動指数データＰ１４、脂肪指数データＰ１５として出力する。
【０１５７】
食品換算手段６２は、任意の食品１グラムまたは単位個数当りのｋｃａｌ値を記憶しており、総必要エネルギー差データＰ１２を任意の食品の量に換算し、食品指数データＰ１３として出力する。
任意の食品を、例えばおにぎりとする。おにぎりは、すでに説明したように、１個分が１６０ｋｃａｌである。食品指数データＰ１３は、下記式１１で算出する。
【０１５８】
［式１１］
食品指数データＰ１３＝総必要エネルギー差データＰ１２／おにぎり１個分のｋｃａｌ
【０１５９】
式１０に示す総必要エネルギー差データＰ１２は、３３９．９ｋｃａｌ／１日と算出されているから、これをおにぎり１個分のエネルギー１６０ｋｃａｌで除算し、食品指数データＰ１３は、２．１個／１日、と算出される。
この結果から、この使用者は、１日におにぎり２．１個を節食すれば基礎代謝量の段階での肥満を止められることが分かる。
【０１６０】
運動換算手段６３は、任意の運動の消費ｋｃａｌを記憶しており、総必要エネルギー差データＰ１２を任意の運動の量に換算し、運動指数データＰ１４として出力する。
任意の運動を、例えば速歩運動（速い歩き）とする。速歩運動は、すでに説明したように、速歩運動の歩数と消費カロリーとの関係は、３００ｋｃａｌ／１万歩である。運動指数データＰ１４は、下記式１２で算出する。
【０１６１】
［式１２］
運動指数データＰ１４＝総必要エネルギー差データＰ１２／速歩運動の消費ｋｃａｌ
【０１６２】
式１０に示す総必要エネルギー差データＰ１２は、３３９．９ｋｃａｌ／１日と算出されているから、これを速歩運動の消費エネルギー３００ｋｃａｌ／１万歩で除算し、運動指数データＰ１４は、１３３０歩／１日、と算出される。
この結果から、この使用者は、毎日１３３０歩の速歩運動を追加すれば基礎代謝量の段階での肥満を止められることが分かる。
【０１６３】
蓄積脂肪量換算手段６４は、脂肪量１ｋｇ当りのｋｃａｌ値を記憶しており、総必要エネルギー差データＰ１２を蓄積される脂肪量に換算し、脂肪指数データＰ１５として出力する。
脂肪量と消費カロリーとの関係は、すでに説明したように、７２００ｋｃａｌ／１ｋｇである。脂肪指数データＰ１５は、下記式１３で算出する。
【０１６４】
［式１３］
脂肪指数データＰ１５＝総必要エネルギー差データＰ１２／脂肪１ｋｇのｋｃａｌ
【０１６５】
式１０に示す総必要エネルギー差データＰ１２は、３３９．９ｋｃａｌ／１日と算出されているから、これを脂肪１ｋｇ当たりのエネルギー７２００ｋｃａｌで除算し、脂肪指数データＰ１５は、０．０４７２ｋｇ／１日を得る。そして、３６５日分を乗算して１７．２ｋｇ／１年、と算出される。
この結果から、この使用者は、このまま放置すれば基礎代謝量の段階で１年間に体重が約１７ｋｇも増加し、しかも殆どが脂肪であることが分かる。
【０１６６】
［算定結果表示部７０の説明］
次に、算定結果表示部７０の構成及び動作の概要を説明する。
算定結果表示部７０は、推定総必要エネルギー表示エリア７１ａと総必要エネルギー差表示エリア７３ａと食品指数表示エリア７４と運動指数表示エリア７５と脂肪指数表示エリア７６とから構成され、推定総必要エネルギー算出ブロック５及び太り易さ指数換算ブロック６の出力を表示する。
【０１６７】
算定結果表示部７０の動作概要は次の通りである。
推定総必要エネルギー表示エリア７１ａは、推定総必要エネルギーデータＰ１１を表示する。総必要エネルギー差表示エリア７３ａは総必要エネルギー差データＰ１２を表示する。
食品指数表示エリア７４は、総必要エネルギー差データＰ１２をおにぎりの個数に換算した食品指数データＰ１３を表示する。運動指数表示エリア７５は、総必要エネルギー差データＰ１２を速歩運動の歩数に換算した運動指数データＰ１４を表示する。脂肪指数表示エリア７６は、総必要エネルギー差データＰ１２を年間に蓄積される脂肪量に換算した脂肪指数データＰ１５を表示して使用者の太り易さの状態を知らせる。
以下にその表示の例を示す。
【０１６８】
・推定総必要エネルギー表示エリア７１ａの表示（Ｐ１１）＝２２７４．８ｋｃａｌ／１日
・総必要エネルギー差表示エリア７３ａの表示（Ｐ１２）＝３３９．９ｋｃａｌ／１日
・食品指数表示エリア７４の表示（Ｐ１３）＝２．１個／１日
・運動指数表示エリア７５の表示（Ｐ１４）＝１１３３０歩／１日
・脂肪指数表示エリア７６の表示（Ｐ１５）＝１７．２ｋｇ／１年
【０１６９】
なお、図１８に示す算定結果表示部７０の表示内容は、第１の実施形態と同様に、表示を見やすくするために、数字を簡略化して表示している。例えば、推定総必要エネルギー表示エリア７１ａの表示（Ｐ１１）は２２７４．８ｋｃａｌ／１日であるが、２２７５ｋｃａｌと示している。
【０１７０】
また、算定結果表示部７０の表示内容は、第１の実施形態と同様に、基礎代謝量差分であれば標準基礎代謝量または推定基礎代謝量との比率を百分率（％）で表したり、円グラフや棒グラフ等で表現してもよく、音声や音響的手段を用いてもよい。
【０１７１】
以下に図１１を用いて機能ブロック全体の動作の流れを説明する。標準基礎代謝量算出ブロック２及び推定基礎代謝量算出ブロック３については第１の実施形態の場合と同じなので説明は省略する。
【０１７２】
標準総必要エネルギー算出ブロック４の動作は、標準基礎代謝量データＰ４と活動レベル入力手段４２で入力した活動レベルデータＰ５とから標準総必要エネルギー算出部４１によって標準総必要エネルギーデータＰ６を算出する。
標準総必要エネルギー算出ブロック４としての出力は活動レベルデータＰ５と標準総必要エネルギーデータＰ６である。
【０１７３】
推定総必要エネルギー算出ブロック５の動作は、活動レベルデータＰ５と推定基礎代謝量データＰ９とから推定総必要エネルギー算出部５１によって推定総必要エネルギーデータＰ１１を算出する。また、標準総必要エネルギーデータＰ６と推定総必要エネルギーデータＰ１１とから総必要エネルギー差算出部５２によって総必要エネルギー差データＰ１２を算出する。
推定総必要エネルギー算出ブロック５としての出力は、１日に必要な総エネルギーである推定総必要エネルギーデータＰ１１と、１日に必要な総エネルギー段階での余剰エネル
ギーである総必要エネルギー差データＰ１２である。
【０１７４】
太り易さ指数換算ブロック６の動作は、日々蓄積される余剰エネルギーである総必要エネルギー差データＰ１２を３つの太り易さ指数すなわち食品指数や運動指数や脂肪指数に換算し出力する。すなわち食品換算手段６２は総必要エネルギー差データＰ１２を食品指数Ｐ１３に、また運動換算手段６３は総必要エネルギー差データＰ１２を運動指数データＰ１４に、さらに蓄積脂肪量換算手段６４は総必要エネルギー差データＰ１２を脂肪指数データＰ１５に、各々換算し出力する。
【０１７５】
算定結果表示部７の動作は、推定総必要エネルギー算出ブロック５の推定総必要エネルギー算出部５１の出力である推定総必要エネルギーデータＰ１１と、総必要エネルギー差算出部５２の出力である総必要エネルギー差データＰ１２と、太り易さ指数換算ブロック６の食品換算手段６２の出力である食品指数Ｐ１３と、運動換算手段６３の出力である運動指数データＰ１４と、蓄積脂肪量換算手段６４の出力である脂肪指数データＰ１５と、を表示して太り易さを報知する。
【０１７６】
［回路的な構成の説明：図１２］
次に、図１２を用いて本実施形態の代謝エネルギー算定装置１００の回路的な構成について、第１の実施形態と異なる部分のみを説明する。
【０１７７】
図１２において、データ入力手段としての入力スイッチ１０は、個人データ入力部２２と電源スイッチ１５とで構成される点は、第１の実施形態の例と同様であるが、活動レベルを数値設定で入力する場合では、活動レベルを入力する手段となり、活動レベルデータＰ５を出力する。
【０１７８】
１６は外部機器接続端子で、歩数計や活動度計等の外部機器と代謝エネルギー算定装置１００とを接続する端子であって、それら歩数計や活動度計等の出力を活動レベルデータＰ５ａとして出力する。
【０１７９】
表示器１１の算定結果表示部７０は、推定総必要エネルギー表示エリア７１ａと、総必要エネルギー差表示エリア７３ａと、食品指数表示エリア７４と、運動指数表示エリア７５と、蓄積脂肪量表示エリア７６と、で構成される。
【０１８０】
［装置外観の説明：図１３］
次に、図１３を用いて本実施形態の代謝エネルギー算定装置１００の外観図について、第１の実施形態と異なる部分のみを説明する。
【０１８１】
図１２に示す外部機器接続端子１６は、代謝エネルギー算定装置１００の任意の部分に設けることができるが、図１３に示す例では、右側面に設けている。端子形状は、知られている端子（例えば、ピンジャック）を用いることができるため、詳細は省略する。
【０１８２】
［動作フローによる基本動作の説明：図１４〜図１９］
次に、図１４から図１６のフローチャートと図１７、図１８の外観図及び図１９のメモリ部の内容を示す図表とを用いて、本実施形態の代謝エネルギー算定装置１００の基本動作を説明する。なお、第１の実施形態と異なる部分を中心に説明する。なお、代謝エネルギー算定装置１００は図１１に示す構成であることを前提とする。
【０１８３】
電源オン（ステップＳＴ１）から個人データ入力（ステップＳＴ３）は、第１の実施形態と同様である。表示器１１の全ての表示エレメントを点灯させる点灯確認図は、図７に示す例と同様である。
【０１８４】
ステップＳＴ２の点灯確認後、第１の実施形態での説明と同様な手順を経て、“体重”、“年齢”、“性別”の情報を、メモリ部９２の体重データエリア９２ｂ、年齢データエリア９２ｃ、性別データエリア９２ｄに記憶する。なお、これらの情報は、すでに説明した例と同じく、体重６７．０ｋｇ、年齢４５歳、性別男性を例にする。
【０１８５】
ステップＳＴ３の個人データ入力の後に、図１７に示すように、マーカーエリア８２の“活動”のマーカーが点灯し、使用者が既に活動レベルを入力してあればその値が、もし何も入力してなければ、“１．７５”  （普通レベル）のように、デフォルト値が数値エリア８１に表示されるので、図１７のアップスイッチ２２ｂとダウンスイッチ２２ｃとを用いて値を増減し、所定の値、例えば“１．７５”（普通レベル）に合わせた後、決定スイッチ２２ｄを押す。
【０１８６】
また、活動レベルを歩数計や活動度計等の外部機器を用いて入力する場合は、アップスイッチ２２ｂまたはダウンスイッチ２２ｃで、上限（２．００）または下限（１．５０）を超えて更に押し、例えば、“Ｅ”を表示させて決定スイッチ２２ｄを押す。決定スイッチ２２ｄが押されると、メモリ部９２の活動レベルデータエリア９２ｅに、活動レベルＰ５の数値が記憶される（ステップＳＴ３ａ）。なお、外部機器が用いられていない場合は、上記操作をすると“Ｅ”が記憶される。
【０１８７】
ステップＳＴ３ａは、図１１に示す標準総必要エネルギー算出ブロック４の活動レベル入力手段４２に対応している。
【０１８８】
標準基礎代謝量算出（ステップＳＴ４）は、第１の実施形態のステップＳＴ４と同様であるので、説明は省略する。
【０１８９】
ステップＳＴ４ａは、式８に示すように、メモリ部９２の標準基礎代謝量データエリア９２ｊに記憶されている標準基礎代謝量データＰ４（１４９４．１ｋｃａｌ）に、活動レベルデータエリア９２ｅに記憶されている活動レベルデータＰ５（１．７５）を乗じて標準総必要エネルギーデータＰ６を算出する。
すなわち、標準総必要エネルギーデータＰ６＝１４９４．１ｋｃａｌ×１．７５＝２６１４．７ｃａｌ／１日、と算出され、メモリ部９２の標準総必要エネルギーデータエリア９２ｋに記憶する（ステップＳＴ５）。
【０１９０】
ステップＳＴ４ａは、図１１に示す標準総必要エネルギー算出ブロック４の標準総必要エネルギー算出部４１に対応している。
【０１９１】
体温測定の判断（ステップＳＴ５）は、図４に示す第１の実施形態のステップＳＴ５と同様である。体温測定（ステップＳＴ６）は、第１の実施形態のステップＳＴ６と同様である。
同じく、体温差分算出（ステップＳＴ７）は、第１の実施形態のステップＳＴ７と、推定基礎代謝量算出（ステップＳＴ８）は、第１の実施形態のステップＳＴ８と、基礎代謝量差分算出（ステップＳＴ８ａ）は、第１の実施形態のステップＳＴ８ａと、それぞれ同様であるので、説明は省略する。
【０１９２】
ステップＳＴ２０は、式９に示すように、メモリ部９２の推定基礎代謝量データエリア９２ｐに記憶された推定基礎代謝量データＰ９（１２９９．９ｋｃａｌ）と、メモリ部９２の活動レベルデータエリア９２ｅに記憶されている活動レベルデータＰ５（１．７５）とから、推定総必要エネルギーデータＰ１１を算出する。
すなわち、推定総必要エネルギーデータＰ１１＝１２９９．９ｋｃａｌ×１．７５＝２
２７４．８ｋｃａｌ／１日、と算出され、メモリ部９２の推定総必要エネルギーデータエリア９２ｑに記憶すると共に、図１８に示すように算定結果表示部７の推定総必要エネルギー表示エリア７１ａに表示する。
【０１９３】
ステップＳＴ２０は、図１１に示す推定総必要エネルギー算出ブロック５の推定総必要エネルギー算出部５１に対応している。
【０１９４】
ステップＳＴ２１は、式１０に示すように、メモリ部９２の推定総必要エネルギーデータエリア９２ｑに記憶された推定総必要エネルギーデータＰ１１（２２７４．８ｋｃａｌ／１日）と、メモリ部９２の標準総必要エネルギーデータエリア９２ｋに記憶された標準総必要エネルギーデータＰ６（２６１４．７ｃａｌ／１日）とから、総必要エネルギー差データＰ１２を算出する。
すなわち、総必要エネルギー差データＰ１２＝２６１４．７ｃａｌ／１日−２２７４．８ｋｃａｌ／１日＝３３９．９ｋｋａｌ／１日、と算出され、メモリ部９２の総必要エネルギー差データエリア９２ｒに記憶すると共に、図１８に示すように算定結果表示部７の総必要エネルギー差表示エリア７３ａに表示する。
【０１９５】
ステップＳＴ２１は、図１１に示す推定総必要エネルギー算出ブロック５の総必要エネルギー差算出部５２に対応している。
【０１９６】
ステップＳＴ９では、式１１、式１２、式１３に示すように、メモリ部９２の総必要エネルギー差データエリア９２ｒに記憶した総必要エネルギー差データＰ１２を３つの太り易さ指数、すなわち食品指数及び運動指数及び脂肪指数に換算して図１８のように表示器１１に表示する。ステップＳＴ９は、図１６に示すように、ステップＳＴ９４とステップＳＴ９５及びステップＳＴ９６とで構成される。
【０１９７】
ステップＳＴ９４においては、食品指数データＰ１３を算出し図１８の表示器１１で表示する。同様に、ステップＳＴ９５においては、運動指数データＰ１４を算出し図１８の表示器１１で表示し、ステップＳＴ９６においては、脂肪指数データＰ１５を算出し図１８の表示器１１で表示する。
【０１９８】
ステップＳＴ９４は、図１１に示す太り易さ指数換算ブロック６の食品換算手段６２に、ステップＳＴ９５は、太り易さ指数換算ブロック６の運動換算手段６３に、ステップＳＴ９６は、太り易さ指数換算ブロック６の蓄積脂肪量換算手段６４に、それぞれ対応している。
【０１９９】
この後、活動レベルや個人データの再設定を行うか否かを判断する。
図１８の選択スイッチ２２ａが押されたか否かを判断し、押されていればステップＳＴ３に、押されていなければ次のステップＳＴ１１に移る（ステップＳＴ１０）。
【０２００】
次に、図１８の体温計測スイッチ２２ｅが押されていればステップＳＴ６に、押されていなければ次のステップＳＴ１２に移る（ステップＳＴ１１）。
【０２０１】
次に、図１８の電源スイッチ１５が押されていればステップＳＴ１４に、押されていなければ次のステップＳＴ１３に移る（ステップＳＴ１２）。
【０２０２】
次に、操作がなされていない状態が３分間継続したか否かを判断する。３分間経過していなければステップＳＴ１０に、３分間経過したら次のステップＳＴ１４に移る（ステップＳＴ１３）。なお、この３分間という時間は、第１の実施形態と同様に一例である。
【０２０３】
次に、マイクロプロセッサ９は休止状態になり、代謝エネルギー算定装置１００の動作が停止する（ステップＳＴ１４）。
【０２０４】
以上のフローチャートの説明で示されるように、使用者は自らの個人データ及び体温を入力することで、体温を反映した推定総必要エネルギーデータＰ１１と、総必要エネルギー差データＰ１２と、太り易さ指数（食品指数データＰ１３、運動指数データＰ１４、脂肪指数データＰ１５）と、を具体的な数値で認識することができる。そして、これを利用することで、体重を効果的に減量することができるのである。
【実施例３】
【０２０５】
次に、図２０及び図２１を用いて本発明の代謝エネルギー算定装置の第３の実施形態の構成と動作とを説明する。
本実施形態の代謝エネルギー算定装置３００は、第１及び第２の実施形態と比較すると、基礎代謝量を体温で補正して推定基礎代謝量を算出する過程が異なる。本実施形態の代謝エネルギー算定装置３００は、例えば、いわゆる低体温の使用者に対しても、体温を反映した推定基礎代謝量や推定総必要エネルギーを提供することができる。
第３の実施形態の代謝エネルギー算定装置３００は、推定基礎代謝量算出ブロックの構成が、第１及び第２の実施形態の推定基礎代謝量算出ブロック３の構成と異なる。
図２０は推定基礎代謝量算出ブロック３００の機能ブロック図であり、図２１はメインフローチャートである。なお、各図において、同一要素には同一番号を付して重複する説明は省略し、推定基礎代謝量算出ブロック３００の構成と動作のみ説明する。
【０２０６】
図２０に示すように、推定基礎代謝量算出ブロック３００は、標準体温記憶部３０と体温入力手段３１と体温差分算出部３２と推定基礎代謝量算出手段３９０とから構成されている。このように、標準体温記憶部、体温入力手段、体温差分算出部、推定基礎代謝量算出手段を備えている点は、すでに説明した第１及び第２の実施形態と同様である。相違点は、推定基礎代謝量算出手段３９０の構成である。
推定基礎代謝量算出手段３９０は、基礎代謝量差分算出部３３ａと推定基礎代謝量算出部３９ａとから構成される。なお、標準体温記憶部３０と体温入力手段３１と体温差分算出部３２については既に述べたので説明は省略する。
【０２０７】
推定基礎代謝量算出手段３９０において、基礎代謝量差分算出部３３ａは、標準基礎代謝量算出ブロック２からの標準基礎代謝量データＰ４と体温差分データＰ８とから、基礎代謝量の増減分、すなわち、基礎代謝量差分データＰ１００を算出し、次に、推定基礎代謝量算出部３９ａは、標準基礎代謝量データＰ４と基礎代謝量差分データＰ１００とから推定基礎代謝量データＰ９０を算出する。
【０２０８】
なお、体温差分データＰ８は、第１及び第２の実施形態と同様に式２で算出されるように、１．０℃である。すでに説明したように、体温が１℃低下すると基礎代謝量は１３％減少する。推定基礎代謝量算出手段３９の基礎代謝量差分算出部３３ａは、下記式１４で基礎代謝量差分データＰ１００を算出する。
【０２０９】
［式１４］
基礎代謝量差分データＰ１００＝標準基礎代謝量データＰ４×体温１℃当りの基礎代謝量の増減率×体温差分データＰ８
【０２１０】
この使用者の場合、基礎代謝量差分データＰ１００は、１４９４．１ｋｃａｌ／１日に、０．１３／℃と、１℃と、を乗算して１９４．２ｋｃａｌ／１日、と算出される。
【０２１１】
また、推定基礎代謝量算出部３９ａは、下記式１５で推定基礎代謝量データＰ９０を算
出する。
【０２１２】
［式１５］
推定基礎代謝量データＰ９０＝標準基礎代謝量データＰ４−基礎代謝量差分データＰ１００
【０２１３】
この使用者の場合、推定基礎代謝量データＰ９０は、１４９４．１ｋｃａｌ／１日から１９４．２ｋｃａｌ／１日を減算して１２９９．９ｋｃａｌ／１日、と算出される。
【０２１４】
第３の実施形態において、推定基礎代謝量算出ブロック３００は、以上のようにして推定基礎代謝量データＰ９０及び基礎代謝量差分データＰ１００を出力する。
第１及び第２の実施形態と比較すると、基礎代謝量を体温で補正して推定基礎代謝量を算出する過程が異なるが、第１及び第２の実施形態で説明した推定基礎代謝量データＰ９と推定基礎代謝量データＰ９０との算出結果、及び、第１の実施形態で説明した基礎代謝量差分データＰ１０と基礎代謝量差分データＰ１００との算出結果は、いずれも同一である。
【０２１５】
一般的に、公的資料や学会論文等に公開されている基礎代謝量の体温依存性を重視する場合には第１及び第２の実施形態の方法が適当であり、一方、気温や湿度といった環境条件や心拍数や発汗量といった生理的な要因（生理信号）など、複数の要因による基礎代謝量の変化を算定する場合には、第３の実施形態の方法で複数の要因の変化分に対応する基礎代謝量変化分の算出方法を予め確立しておき、各要因別に基礎代謝量変化分を算出して基礎代謝量を一括して補正する方法が適当と思われる。
【０２１６】
［動作フローによる基本動作の説明：図１０、図２１］
次に、図１０のメモリ部の内容を示す図表と図２１のメインフローチャートとを用いて推定基礎代謝量算出ブロック３００の動作を説明する。
図２１において、ステップＳＴ１からステップＳＴ７までは、第１の実施形態と同一であるので説明は省略する。
【０２１７】
ステップＳＴ８０においては、メモリ部９２の標準基礎代謝量データエリア９２ｊに記憶されている標準基礎代謝量データＰ４に、メモリ部９２の体温差分データエリア９２ｍに記憶されている体温差分データＰ８と、体温１℃当りの基礎代謝量の増減率（１３％）とから、式１４に示すように基礎代謝量差分データＰ１００を算出する。
すなわち、基礎代謝量差分データＰ１００は、１９４．２ｋｃａｌ／１日、と算出されメモリ部９２の基礎代謝量差分データエリア９２ｎに記憶する（ステップＳＴ８０）。
【０２１８】
次にステップＳＴ８０ａにおいては、メモリ部９２の標準基礎代謝量データエリア９２ｊに記憶された標準基礎代謝量データＰ４から、メモリ部９２の基礎代謝量差分データエリア９２ｎに記憶された基礎代謝量差分データＰ１００を減算して、式１５に示すように推定基礎代謝量データＰ９０を算出する。
すなわち、推定基礎代謝量データＰ９０は、１２９９．９ｋｃａｌ／１日、と算出され、メモリ部９２の推定基礎代謝量データエリア９２ｐに記憶する（ステップＳＴ８０ａ）。
【０２１９】
また、ステップＳＴ９からステップＳＴ１４については、図５に示す第１の実施形態のメインフローチャートと同一であり、説明は省略する。
【０２２０】
第３の実施形態の他の機能ブロック図及び回路ブロック図及び外観図及び表示内容の外観図及びメモリ部の内容を示す表及び図２２記載の基礎代謝基準値表及び図２３に記載の
活動レベル表は、第１または第２の実施形態と同様なので省略する。
【０２２１】
以上の第１及び第２及び第３の実施形態においては、測定された体温が標準体温より低い場合について説明したが、測定された体温が標準体温より高い場合は、基礎代謝量差分データＰ１０、Ｐ１００または総必要エネルギー差Ｐ１２にマイナス符号を付加して表示し、食品指数表示エリア７４と運動指数表示エリア７５と脂肪指数表示エリア７６には“−”を表示する構造になっているが、勿論他の処理方法も可能である。
【０２２２】
以上のように、本実施形態の代謝エネルギー算定装置３００によれば、いわゆる低体温の使用者に対しても、体温を反映した推定基礎代謝量や推定総必要エネルギーを提供し、体温が標準より低いためにどの程度太り易いかを食品や運動や蓄積される脂肪量で使用者に気付かせるので、効果的な体重の減量が可能となる。
【０２２３】
なお、太り易さ指数換算ブロック６の説明にあっては、おにぎり１個分のエネルギーを１６０ｋｃａｌ、速歩運動の消費エネルギーを３００ｋｃａｌ／１万歩、脂肪１ｋｇ当たりのエネルギーを７２００ｋｃａｌと、それぞれ例示したが、もちろんこれら数値は一例であって、適宜変更することができる。例えば、これらの数値はメモリ部９２の固定値メモリ９２２に記憶されているが、入力スイッチ１０の操作などによって、これらの数値を変更できるようにしてもかまわない。
【０２２４】
また、本発明の第１及び第２及び第３の実施形態で示した構成や動作フロー等はこれに限定されるものではなく、本発明の要旨を満たすものであれば任意に変更することができる。
【産業上の利用可能性】
【０２２５】
本発明の代謝エネルギー算定装置は、体温を反映した推定基礎代謝量や推定総必要エネルギーを算出することができる。このため、どのくらい太り易いかを使用者に気付かせることができる。ゆえに、ダイエットや生活習慣病の予防に用いる健康機器に好適である。
【図面の簡単な説明】
【０２２６】
【図１】本発明の代謝エネルギー算定装置の第１の実施形態の機能ブロック図である。
【図２】本発明の代謝エネルギー算定装置の第１の実施形態の回路ブロック図である。
【図３】本発明の代謝エネルギー算定装置の第１の実施形態の外観図である。
【図４】本発明の代謝エネルギー算定装置の第１の実施形態のメインフローチャートである。
【図５】本発明の代謝エネルギー算定装置の第１の実施形態のメインフローチャートである。
【図６】本発明の代謝エネルギー算定装置のディテールフローチャートである。
【図７】本発明の代謝エネルギー算定装置の第１の実施形態の表示内容を示す外観図である。
【図８】本発明の代謝エネルギー算定装置の第１の実施形態の表示内容を示す外観図である。
【図９】本発明の代謝エネルギー算定装置の第１の実施形態の表示内容を示す外観図である。
【図１０】本発明の代謝エネルギー算定装置の第１の実施形態のメモリ部の内容を模式的に示す図表である。
【図１１】本発明の代謝エネルギー算定装置の第２の実施形態の機能ブロック図である。
【図１２】本発明の代謝エネルギー算定装置の第２の実施形態の回路ブロック図である。
【図１３】本発明の代謝エネルギー算定装置の第２の実施形態の外観図である。
【図１４】本発明の代謝エネルギー算定装置の第２の実施形態のメインフローチャートである。
【図１５】本発明の代謝エネルギー算定装置の第２の実施形態のメインフローチャートである。
【図１６】本発明の代謝エネルギー算定装置の第２の実施形態のディテールフローチャートである。
【図１７】本発明の代謝エネルギー算定装置の第２の実施形態の表示内容を示す外観図である。
【図１８】本発明の代謝エネルギー算定装置の第２の実施形態の表示内容を示す外観図である。
【図１９】本発明の代謝エネルギー算定装置の第２の実施形態のメモリ部の内容を模式的に示す図表である。
【図２０】本発明の代謝エネルギー算定装置の第３の実施形態の機能ブロック図である。
【図２１】本発明の代謝エネルギー算定装置の第３の実施形態のメインフローチャートである。
【図２２】非特許文献１に記載の基礎代謝基準値表を示す図表である。
【図２３】非特許文献２に記載の活動レベルを説明する図表である。
【符号の説明】
【０２２７】
１、１００  代謝エネルギー算定装置
２  標準基礎代謝量算出ブロック
２１  基礎代謝基準値記憶部
２２  個人データ入力部
２４  標準基礎代謝量算出部
３、３００  推定基礎代謝量算出ブロック
３０  標準体温記憶部
３１  体温入力手段
３２  体温差分算出部
３３  基礎代謝量差分算出手段
３３ａ  基礎代謝量差分算出部
３９、３９０  推定基礎代謝量算出手段
３９ａ  推定基礎代謝量算出部
４  標準総必要エネルギー算出ブロック
４１  標準総必要エネルギー算出部
４２  活動レベル入力手段
５  推定総必要エネルギー算出ブロック
５１  推定総必要エネルギー算出部
５２  総必要エネルギー差算出部
６  太り易さ指数換算ブロック
６２  食品換算手段
６３  運動換算手段
６４  蓄積脂肪量換算手段
７、７０  算定結果表示部
７１  推定基礎代謝量表示エリア
７１ａ  推定総必要エネルギー表示エリア
７３  基礎代謝量差分表示エリア
７３ａ  総必要エネルギー差表示エリア
７４  食品指数表示エリア
７５  運動指数表示エリア
７６  脂肪指数表示エリア
８  個人データ表示部  
８１  数値エリア
８２  マーカーエリア
９  マイクロプロセッサ
９１  演算処理部
９２  メモリ部
９２１  データメモリ
９２ａ  身長データエリア
９１ｂ  体重データエリア
９２ｃ  年齢データエリア
９２ｄ  性別データエリア
９２ｅ  活動レベルデータエリア
９２ｆ  体温データエリア
９２ｊ  標準基礎代謝量データエリア
９２ｋ  標準総必要エネルギーデータエリア
９２ｍ  体温差分データエリア
９２ｎ  基礎代謝量差分データエリア
９２ｐ  推定基礎代謝量データエリア
９２ｑ  推定総必要エネルギーデータエリア
９２ｒ  総必要エネルギー差データエリア
９２２  固定値メモリ
９２ｓ  標準体温記憶部エリア
９２ｔ  基礎代謝基準値記憶部
９２ｕ  食品換算データエリア
９２ｖ  運動換算データエリア
９２ｗ  脂肪換算データエリア
１０  入力スイッチ
１１  表示器
１２  体温センサ
１３  温度変換器
１４  電源
１５  電源スイッチ
１６  外部機器接続端子
２２  個人データ入力部
２２ａ  選択スイッチ
２２ｂ  アップスイッチ
２２ｃ  ダウンスイッチ
２２ｄ  決定スイッチ
２２ｅ  体温測定スイッチ
Ｐ１  基礎代謝基準値データ
Ｐ２  個人データ
Ｐ３  標準体温データ
Ｐ４  標準基礎代謝量データ
Ｐ５  活動レベルデータ
Ｐ５ａ  外部機器信号
Ｐ６  標準総必要エネルギーデータ
Ｐ７  体温データ
Ｐ７ａ  第１体温信号
Ｐ７ｂ  第２体温信号
Ｐ８  体温差分データ
Ｐ９、Ｐ９０  推定基礎代謝量データ
Ｐ１０、ｐ１００  基礎代謝量差分データ
Ｐ１１  推定総必要エネルギーデータ
Ｐ１２  総必要エネルギー差データ
Ｐ１３  食品指数データ
Ｐ１４  運動指数データ
Ｐ１５  脂肪指数データ
Ｐａ  電源制御信号
Ｐｓ  駆動電源出力
【図１】
2010124873.tif 000003
【図２】
2010124873.tif 000004
【図３】
2010124873.tif 000005
【図４】
2010124873.tif 000006
【図５】
2010124873.tif 000007
【図６】
2010124873.tif 000008
【図７】
2010124873.tif 000009
【図８】
2010124873.tif 000010
【図９】
2010124873.tif 000011
【図１０】
2010124873.tif 000012
【図１１】
2010124873.tif 000013
【図１２】
2010124873.tif 000014
【図１３】
2010124873.tif 000015
【図１４】
2010124873.tif 000016
【図１５】
2010124873.tif 000017
【図１６】
2010124873.tif 000018
【図１７】
2010124873.tif 000019
【図１８】
2010124873.tif 000020
【図１９】
2010124873.tif 000021
【図２０】
2010124873.tif 000022
【図２１】
2010124873.tif 000023
【図２２】
2010124873.tif 000024
【図２３】
2010124873.tif 000025